(57)【特許請求の範囲】
【請求項１】
複数の検査装置が組み合わされた複合検査装置に対し被検体の患者情報および検査内容に関する検査情報を入出力するための情報入出力装置であって、
前記患者情報と、前記検査情報と、前記複数の検査装置から出力された検査結果情報とを記憶する情報管理記憶手段と、
前記複合検査装置により、一つの検査として保険化された複数種類の検査が実行されたときに、前記複数の検査装置からの前記検査結果情報を統合して出力する手段とを備えることを特徴とする情報入出力装置。
【請求項２】
前記患者情報及び前記検査情報を入力するための情報入力手段を備えることを特徴とする請求項１記載の情報入出力装置。
【請求項３】
前記情報管理記憶手段は、外部に構築されたネットワークによる情報通信環境に接続して情報の送受信を行うための情報通信接続手段を備えることを特徴とする請求項１または２のずれか一項に記載の情報入出力装置。
【発明の詳細な説明】
【０００１】
【発明の属する技術分野】
本発明は、複合検査装置に用いられる情報入出力装置であり、特には複数の検査装置への情報入出力に関するものである。
【０００２】
【従来の技術】
従来において、病院などで被検者である患者に対して循環器の造影検査を行う際に、Ｘ線透視像を得るためのＸ線診断装置が用いられている。このＸ線診断装置により患者の血管走行などを画像として描出するために血管造影法などを用いている。この血管造影法により視認可能に血管走行が描出されるが、この法法で得られる画像は２次元画像であり、複雑に絡み合い立体的に走行する血管の描出のためには情報量が不足する。
【０００３】
この解決手段として、Ｘ線コンピュータトモグラフィ装置（以下、ＣＴと記す。）を組み合わせて立体的な血管走行の画像を得ることが行われている。これらのＸ線診断装置とＣＴとは同じＸ線検査室内に配置され、患者は寝台に載置されたままでＸ線曝射による血管走行撮影とＣＴによる立体的な血管走行撮影が行われる。
【０００４】
図５には、このように２種類の装置を組み合わせた構成を示しており、ＩＶＲ−ＣＴ（ＩｎｔｅｒＶｅｎｔｉｏｎａｌＲａｄｉｏｌｏｇｙ−ＣＴ）と呼ばれる複合検査装置である。このようなＩＶＲ−ＣＴ１６においては、患者などの被検者１３は寝台１４に載置され、この図示されたような姿勢で寝たままでＸ線診断装置１２により血管造影などが行われる。図示はされないが、血管造影のために被検者１３の血管内にはカテーテルなどが挿入されている。画像モニタ１５には被検者１３より撮影された血管の走行が画面表示されている。
【０００５】
次に図６に示すように、被検者１３が載置された寝台１４はＣＴ１１に向けて横方向に平行移動する。寝台１４はスライド機構などを備えることにより患者に姿勢を変えさせるような負担を強いること無く、ＣＴ１１内に被検者１３を送り込むことができる。ＣＴ１１は被検者１３の撮影対象部位を撮影し、２次元あるいは３次元の画像を得る。
【０００６】
このような構成のＩＶＲ−ＣＴ１６の操作は、それぞれの装置が備える図示しない操作コンソールなどを介して行われている。図４にはこれらの操作コンソールと装置との構成を説明するための概略が示されている。この図において、入力装置９はたとえばＣＴ１１の操作コンソールに相当する。また入力装置１０はＸ線診断装置１２の操作コンソールに相当する。
【０００７】
検査者がたとえばＣＴ（Ｘ線コンピュータトモグラフィ装置）７の操作をするために入力装置９へ患者情報を入力する。この入力操作はＸ線検査室内の入力装置９の前に立ち走査する方法でスタンドアロンとも呼ばれる。またＸ線診断装置の一つの例としてデジタルフルオログラフィ装置（以下、ＤＦと記す。）８の操作をするには、やはり同様にＸ線検査室内に配置された入力装置１０をスタンドアロンにより操作する。このようなスタンドアロンによる操作では、個々のモダリティ、たとえばＣＴ７やＤＦ８に対して患者情報を手入力によって行う。患者情報としては、氏名や年齢、性別、疾患名などの基本情報の他に必要な検査情報などが入力される。また、スタンドアロンによらずに、たとえば病院システム／検査室システム（以下、ＨＩＳ／ＲＩＳと記す。）接続による操作では、個々入力された患者情報をモダリティ毎に独立して個々に接続し入力が行われる。
【０００８】
【発明が解決しようとする課題】
しかしながら、上述の従来技術によるＩＶＲ−ＣＴなどの複合検査装置においては以下のような解決すべき課題があった。
【０００９】
たとえば、ＩＶＲ−ＣＴ等を用いた複合検査の実施において、患者情報等の基本患者情報は患者一人に対してただ一種類しか存在しないにも関わらず、各モダリティ毎に個々に入力操作が行われていた。このため患者情報の手入力に起因する人的な誤入力の可能性が否定できず、各モダリティによる検査後の検査結果情報同士での相互情報リンクを行うことも難しかった。
【００１０】
また、ＨＩＳ／ＲＩＳなどの情報通信システムにて患者情報を取得した際は、たとえば２つの患者情報の氏名や年齢、性別などが同一であった場合に、その２つの患者情報の主が同一患者であるか否かの判別が難しかった。
【００１１】
また、ＩＶＲ−ＣＴのような複合検査装置において、一つの装置による検査が終わっても、その検査の終了が他の装置の検査が終了した上での終了なのか、あるいはその装置のみの検査が終了したのかが判断しにくかった。
【００１２】
本発明は、複合検査装置などの複数のモダリティに対し統一された患者情報を一括して送ることができ、複数の検査結果を一括で情報管理可能な情報入出力装置を提供することを課題とする。
【００１３】
【課題を解決するための手段】
上記課題を解決するために、本発明によれば、複数の検査装置が組み合わされた複合検査装置に対し被検体の患者情報および検査内容に関する検査情報を入出力するための情報入出力装置であって、前記患者情報と、前記検査情報と、前記複数の検査装置から出力された検査結果情報とを記憶する情報管理記憶手段と、前記複合検査装置により、一つの検査として保険化された複数種類の検査が実行されたときに、前記複数の検査装置からの前記検査結果情報を統合して出力する手段とを備えることを特徴とする情報入出力装置をもって解決手段とする。
【００１５】
【発明の実施の形態】
図１は、本発明の実施の形態による情報入出力装置１の構成を説明するための概略図を示している。本図に示される情報入出力装置１は、ＨＩＳ／ＲＩＳ（病院システム／検査室システム）６と、カードリーダ３と、キーボード２と、ＣＴ（Ｘ線コンピュータトモグラフィ装置）４と、ＤＦ（デジタルフルオログラフィ装置）５とが接続されて構成されている。
【００１６】
ＣＴ４とＤＦ５は複合検査装置において構成されるモダリティであり、図示しない病院内のＸ線検査室内に配置されている。ある一人の患者に対してこれらのモダリティを用いて検査を行う場合に、まず、操作者はキーボード２やカードリーダ３を操作して検査対象となる患者の患者情報を入力する。この入力操作は情報入出力装置１に対してのみ行われ、他のたとえばＣＴ４やＤＦ５に対して改めて入力する必要は生じない。
【００１７】
なお、患者情報の入力において用いられるキーボード２は情報入出力装置１に接続されており、あるいは信号ケーブルなどを引き延ばして離して配置することもできる。キーボード２で入力された患者情報は、やはり情報入出力装置１に接続された図示しない画像モニタなどに表示されて視認することができる。カードリーダ３は患者の識別情報などが磁気信号などに変換されて記録されたカードなどを読取ることができる装置である。患者がたとえば診察券として所持することもでき、あるいはカルテ自体を磁気記録して容積効率の良い記録媒体としての磁気カードにしても良い。また、他の情報記憶媒体により患者情報を入力することもできる。
【００１８】
ＨＩＳ／ＲＩＳ６は病院内に配設されたオンライン接続やネットワーク接続された情報通信網であり、近年の病院や検査機関において広く用いられている。このＨＩＳ／ＲＩＳ６が情報入出力装置１に接続されている。ＨＩＳ／ＲＩＳ６を介して検査される患者情報を入力することができる。
【００１９】
図２は、本発明の実施の形態による情報入出力装置を用いた患者情報入力から検査終了までの流れを説明するための概略図である。この図２で示される患者情報入力は、スタンドアロンにより行われる場合を示し、ＨＩＳ／ＲＩＳ６により入力される場合は図３を参照して後述する。
【００２０】
図示されたスタンドアロンの運用では、まず操作者はキーボード２またはカードリーダー３から患者情報を入力する。この患者情報はＣＴ４やＤＦ５などのモダリティに違いに関わらず共通の情報入力である。また、一方では検査情報の入力も行われ、この検査情報は検査の方法が変わればそれに応じて作成されるものであり、モダリティの違いによってそれぞれ適した検査情報が入力される。
【００２１】
次に、各モダリティに患者情報および検査情報を送信する。それぞれのモダリティ、たとえばＣＴ４やＤＦ５には共通の内容の患者情報が入力され、また検査情報においてはそれぞれのモダリティに合わせて作成された別個の検査情報が入力される。
【００２２】
次に、各モダリティはその患者情報および検査情報に基づいてそれぞれ検査を開始する。それぞれのモダリティの検査が終了すると、結果として得られた画像情報などは情報入出力装置１に向けて出力される。情報入出力装置１では各モダリティ、つまりはＣＴ４とＤＦ５の両方の装置から検査結果が情報として出力されることで複合検査装置による検査が終了したことを認識する。検査終了により情報入出力装置１は各モダリティからの検査結果情報を統合して、一括管理される図示しないデータベースに情報記憶する。このようにして検査結果がデータベースに検査結果情報として記憶された後に、検査完了を操作者に知らせる。
【００２３】
図３に示すＨＩＳ／ＲＩＳ６の情報接続による運用の例では、ＨＩＳ／ＲＩＳ６から各モダリティに共通の患者情報および各モダリティ毎に異なる検査情報を情報入出力装置１が受信する。以降の情報の流れは図２を参照して説明したスタンドアロンの操作と変わらないが、一連の検査終了後において、情報入出力装置１がデータベースに検査結果情報を記憶した後の情報の流れが異なる。
【００２４】
スタンドアロンの操作ではデータベースに検査結果情報が記憶された後に検査終了としたが、ＨＩＳ／ＲＩＳ６に接続された構成では、情報入出力装置１は各モダリティからの結果を統合しＨＩＳ／ＲＩＳ６に対して検査完了の通知および検査結果を情報として知らせる。また複合検査装置による同時に複数種類の検査が実行される場合には、この複数の検査が一つの検査として保険化されたときにおいて、たとえば情報入出力装置１は各モダリティからの検査結果を統合しＨＩＳ／ＲＩＳ６へ返信する。
【００２５】
以上説明した本発明の情報入出力装置によれば、ＩＶＲ−ＣＴなどを用いた複合検査に対して、各モダリティへの情報入出力を一括管理する装置を構成することができ、患者情報、検査情報をＨＩＳ／ＲＩＳやスタンドアロンにて入力することで、複合検査装置の各モダリティが必要とする情報を提供することができる。
【００２６】
また、検査結果を一括して本発明の情報入出力装置にて管理することにより、各モダリティからの複合検査終了を確認でき、ＨＩＳ／ＲＩＳへの検査終了および検査結果情報などを返信をすることができる。
【００２７】
これらにより、複合検査装置が備える各モダリティに対する患者情報の入力ミスを防止でき、複合検査における患者情報の一括管理を実現でき、加えて単体検査モードによる一つのモダリティ単体での検査も可能にできる。
【００２８】
なお、以上説明した実施の形態は、本発明の理解を容易にするために記載されたものであって、本発明を限定するために記載されたものではない。したがって、上記の実施の形態に開示された各要素は、本発明の技術的範囲に属する全ての設計変更や均等物をも含む趣旨である。
【００２９】
【発明の効果】
本発明によれば、複合検査装置などの複数のモダリティに対し患者情報を一括して送ることができ、複数の検査結果を一括で情報管理可能な情報入出力装置を提供することができる。
【図面の簡単な説明】
【図１】本発明の実施の形態による情報入出力装置の構成を説明するための概略図を示す。
【図２】本発明の実施の形態による情報入出力装置を説明するための図を示す。
【図３】本発明の実施の形態による情報入出力装置を説明するための図を示す。
【図４】従来の技術による情報入力を説明するための図を示す。
【図５】複合検査装置の概略構成を説明するための図を示す。
【図６】複合検査装置の概略構成を説明するための図を示す。
【符号の説明】
１…情報入出力装置、２…キーボード、３…カードリーダ、４…ＣＴ（Ｘ線コンピュータトモグラフィ装置）、５…ＤＦ（デジタルフルオログラフィ装置）、６…ＨＩＳ／ＲＩＳ（検査室システム／病院システム）、１２…Ｘ線診断装置、１３…被検者、１６…ＩＶＲ−ＣＴ
【図１】
0004589479.tif 000002
【図２】
0004589479.tif 000003
【図３】
0004589479.tif 000004
【図４】
0004589479.tif 000005
【図５】
0004589479.tif 000006
【図６】
0004589479.tif 000007